(57)【要約】【課題】軒樋での受水性を良好なものにし易く、下から見上げたときの美観も良好なものにし易い取付カバーを提供すること。【解決手段】取付カバー７０は、吊具１０及び軒樋５０を含む軒樋アッセンブリ６５における板状部１６に取り付けられる。取付カバー７０は、板状部１６を厚さ方向に挟持する一対の挟持部７３を有するクリップ部７２を含む吊具固定部材７１を備える。吊具固定部材７１は、一対の挟持部７３のうちで板状部１６の下側を上側に押圧する下側挟持部からＺ方向下側に延在する柱状部８０を含む。柱状部８０は、下側端部にＸ方向に突出する第１係止部８１を有する。取付カバー７０が、第１係止部８１に係止される第２係止部９１、及び軒樋５０の第１底面５１ｄの延在方向に沿うように延在すると共に、Ｘ方向において第１底面５１ｄと鼻隠し３の間に配置される第２底面９２を有するカバー部材９０を備える。【選択図】図２
2020084637.tif 000002
【特許請求の範囲】
【請求項１】
建物の壁部に固定される固定部及びその固定部から前後方向の前側に延在する板状部を含む吊具と、前記吊具に取り付けられた軒樋とを含む軒樋アッセンブリにおける前記板状部に取り付けられる取付カバーであって、
前記板状部をその厚さ方向に挟持する一対の挟持部を有するクリップ部、及び、一対の挟持部のうちで前記板状部の下側を上側に押圧する下側挟持部から高さ方向の下側に延在し、下側端部に前後方向に突出する第１係止部を有する柱状部を含む吊具固定部材と、
前記第１係止部に係止される第２係止部、及び前記軒樋の第１底面の延在方向に沿うように延在すると共に、前記前後方向において前記第１底面と前記壁部の間に配置される第２底面を有するカバー部材と、
を備える取付カバー。
【請求項２】
前記柱状部が、後側柱部と、その後側柱部よりも前側に位置して前記後側柱部に間隔をおいた状態で前記前後方向に対向する前側柱部とを含み、
前記第１係止部が、前記後側柱部の下側端部から前記後側に突出する後側突出部と、前記前側柱部の下側端部から前記前側に突出する前側突出部とを含み、
前記カバー部材が、上側に開口する樋形状を有して、後側壁部と、その後側壁部よりも前側に位置して前記後側壁部に間隔をおいた状態で前記前後方向に対向する前側壁部、及び前記後側壁部の下端部と前記前側壁部の下端部とを連結する底部を含み、
前記第２係止部が、前記後側壁部の上端部から後側かつ下側に折り返されると共に前記後側突出部の上部に係止される後側折返部と、前記前側壁部の上端部から前側かつ下側に折り返されると共に前記前側突出部の上部に係止される前側折返部とを含む、請求項１に記載の取付カバー。
【請求項３】
前記柱状部が、前記前後方向に略直交する側面と、その側面から前記前後方向に突出する押圧部を有し、
前記押圧部の先端側の端面は、前記前後方向と前記高さ方向を含む断面における形状が略円弧形状の凹面となっている、請求項１又は２に記載の取付カバー。
【請求項４】
前記吊具は、下側に突出する１以上のリブを前記板状部の下側に有し、
前記下側挟持部の上側には、少なくとも１つの前記リブに係合する係合部が設けられている、請求項１乃至３のいずれか１つに記載の取付カバー。
【請求項５】
建物の壁部に固定される固定部及びその固定部から前後方向の前側に延在する板状部を含む吊具と、
前記吊具に取り付けられた軒樋と、
前記吊具の前記板状部に取り付けられる請求項１乃至４のいずれか１つに記載の取付カバーと、
を備える、軒樋構造。
【請求項６】
吊具が、前記壁部に固定される後側吊具、その後側吊具から前側に突出する前側突出部を含む前側吊具、及び前記前側吊具を前記後側吊具に取り付ける取付手段を備え、
前記後側吊具における前記前側吊具の固定箇所が前記前後方向に変動可能となっていて、前記前側突出部の前記前後方向の長さが変動可能になっており、
前記軒樋が、前記前側吊具に固定される、請求項５に記載の軒樋構造。
【発明の詳細な説明】
【技術分野】
【０００１】
本開示は、軒樋を固定する吊具に取り付けられて、下側から見たときに軒樋と建物の壁面との隙間の少なくとも一部を覆う取付カバーに関する。また、本開示は、建物の壁部に固定される吊具、吊具に固定される軒樋、及び吊具に取り付けられる取付カバーを備える軒樋構造に関する。
【背景技術】
【０００２】
従来、軒樋構造としては、特許文献１に記載されているものがある。この軒樋構造は、吊具及び軒樋を備える。吊具は建物の鼻隠しに固定され、軒樋は吊具に吊り下げられる。
【先行技術文献】
【特許文献】
【０００３】
【特許文献１】特開平１１−１００９５６号公報（第４図）
【発明の概要】
【発明が解決しようとする課題】
【０００４】
建物の屋根が緩勾配である場合、雨水が屋根の下端から遠くまで飛散し易くなるため、軒樋を建物の壁部から離れた個所に取り付けると軒樋の受水性が良好なものになり易くて好ましい。しかし、この場合、軒樋と軒天井との間の隙間が大きくなるので、下から見上げたときの軒樋構造の見栄えが悪化し易い。
【０００５】
そこで、本開示の目的は、軒樋での受水性を良好なものにし易く、下から見上げたときの美観も良好なものにし易い取付カバー及び軒樋構造を提供することにある。
【課題を解決するための手段】
【０００６】
上記課題を解決するため、本開示に係る取付カバーは、建物の壁部に固定される固定部及びその固定部から前後方向の前側に延在する板状部を含む吊具と、吊具に取り付けられた軒樋とを含む軒樋アッセンブリにおける板状部に取り付けられる取付カバーであって、板状部をその厚さ方向に挟持する一対の挟持部を有するクリップ部、及び、一対の挟持部のうちで板状部の下側を上側に押圧する下側挟持部から高さ方向の下側に延在し、下側端部に前後方向に突出する第１係止部を有する柱状部を含む吊具固定部材と、第１係止部に係止される第２係止部、及び軒樋の第１底面の延在方向に沿うように延在すると共に、前後方向において第１底面と壁部の間に配置される第２底面を有するカバー部材と、を備える。なお、本明細書では、軒樋には、断面がコ字状の樋も含まれ、所謂箱樋も含まれる。
【発明の効果】
【０００７】
本開示に係る取付カバー及び軒樋構造によれば、軒樋での受水性を良好なものにし易く、下から見上げたときの美観も良好なものにし易い。
【図面の簡単な説明】
【０００８】
【図１】本開示の一実施形態に係る軒樋構造の斜視図である。
【図２】前後方向及び高さ方向を含む上記軒樋構造の断面図である。
【図３】前後方向外側から見た後側吊具の取付部を示し、軒樋の延在方向及び高さ方向を含む切断面で後側吊具の板状部を切断したときの断面も示す上記軒樋構造の一部の拡大断面図である。
【図４】取付カバーの吊具固定部材の斜視図である。
【図５】吊具固定部材を前後方向の一方側から見たときの側面図である。
【図６】吊具固定部材を軒樋の延在方向一方側から見たときの正面図である。
【図７】吊具固定部材を高さ方向上方から見たときの上面図である
【図８】上記軒樋構造の組み立ての一例を説明するための図である。
【発明を実施するための形態】
【０００９】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。
【００１０】
また、本明細書において、鉛直方向に関連する文言、例えば、上側、上方、下側、下方、水平方向等が用いられた場合、それは、取付カバーや軒樋構造が所定位置に設置された状態での方角や方向を表現する。
【００１１】
また、本明細書において、前後方向に関連する文言、例えば、前側、前方、後側、後方等が用いられた場合、前側や前方は、取付カバーや軒樋構造が所定位置に設置された状態で建物の壁部から離れた側に位置することを意味する。また、後側や後方は、取付カバーや軒樋構造が所定位置に設置された状態で建物の壁部に近い側に位置することを意味する。
【００１２】
また、以下の説明及び図面で、Ｘ方向は、前後方向を示し、建物において吊具が固定される壁部の壁面の法線方向に略一致する。また、Ｙ方向は、軒先（軒樋５０）の延在方向を示し、Ｚ方向は、高さ方向（鉛直方向に一致）を示す。Ｘ方向は、Ｙ方向、及びＺ方向は、互いに直交する。また、以下で説明される構成要素のうち、最上位概念を示す独立請求項に記載されていない構成要素については、任意の構成要素であり、必須の構成要素ではない。
【００１３】
図１は、本開示の一実施形態に係る軒樋構造１の斜視図であり、図２は、Ｘ方向及びＺ方向を含む軒樋構造１の断面図である。図１、及び図２に示すように、軒樋構造１は、複数の吊具１０、軒樋５０、及び取付カバー７０を備える。吊具１０は、加工容易で堅い材質で構成され、金属等で構成される。複数の吊具１０は、建物２（図１参照）の壁部としての鼻隠し３にＹ方向に互いに間隔をおいた状態で所定間隔毎に取り付けられる。吊具１０は、後側吊具１１と、前側吊具３０を含み、後側吊具１１は、鼻隠し３に取り付けられる。
【００１４】
詳しくは、後側吊具１１は、固定部としての取付部１４、及び板状部１６を有し、取付部１４は、平板形状を有し、ＹＺ平面方向に広がる。図３は、Ｘ方向外側から見た取付部１４を示し、後側吊具１１の板状部１６のＹＺ平面での断面も示す軒樋構造１の一部の拡大断面図である。図３に示すように、取付部１４は、複数の固定孔１５を有し、複数の固定孔１５は、例えば、本実施例のようにＹ方向に複列に配置されてもよく、各例には、２以上の固定孔１５が存在してもよい。図示しないねじを各固定孔１５に挿通して鼻隠し３に締め込むことで、後側吊具１１が鼻隠し３に固定される。なお、鼻隠しに対する吊具の固定構造は、無数の構造が公知となっており、多種多様な構造が存在している。鼻隠しに対する吊具の固定構造は、図１に示す構造に限定されることはなく、吊具が鼻隠しから容易に外れない構造であれば如何なる構造でもよい。
【００１５】
図２に示すように、板状部１６は、取付部１４の上側からＸ方向前側に水平面に略平行に延在する。また、板状部１６は、第１連結部１７を下面に有し、第１連結部１７は、断面形状がノコギリの歯状であり、Ｘ方向に延在する。これに対し、前側吊具３０は、板状部３１、後側引掛部３２、前側引掛部３３、及び樋位置決め部３５を有する。板状部３１は、水平面に略平行に配置され、Ｘ方向に延在する。板状部３１は、第２連結部３７を上面に有し、第２連結部３７は、断面形状がノコギリの歯状であり、Ｘ方向に延在する。
【００１６】
板状部１６のノコギリ歯と板状部３１のノコギリ歯は、互いに対応する形状を有し、互いに噛み合う歯を変えることができる。また、図１に示すように、後側吊具１１は、貫通孔１８を有し、前側吊具３０は、Ｘ方向に延在する図示しない長孔（スリット）を有する。したがって、例えば、図２に示すように、板状部１６のノコギリ歯と板状部３１のノコギリ歯に関し、互いに噛み合う歯を変えた状態で、蝶ねじ４７を、貫通孔１８（図１参照）、上記長孔、及び、前側吊具３０の下側に配置したナット４８に上側から締め込むことができる。よって、後側吊具１１における前側吊具３０の取付位置を自在に変動させることができ、その結果、前側吊具３０において後側吊具１１から前側に突出する前側突出部３０ａのＸ方向長さを自在に変動させることができる。蝶ねじ４７、及びナット４８は、取付手段４５を構成する。
【００１７】
なお、後側吊具１１の板状部１６のノコギリ歯と、前側吊具３０の板状部３１のノコギリ歯を、嵌め合わせる歯を適宜変動させて嵌め合わせる場合について説明した。しかし、それ以外の嵌め合いを採用してもよく、例えば、後側吊具の板状部の断面波状の部分と、前側吊具の板状部の断面波状の部分とを、嵌め合わせる波の山と波の谷を適宜変動させて嵌め合わせる構成でもよい。
【００１８】
次に、前側吊具３０における軒樋５０の取付構造について説明する。詳しくは、後側引掛部３２は、板状部３１の後側下部から下方に延在する下方延在部、その下方延在部の下側端部からＸ方向後側に延在する後側延在部、及びその後側延在部の後側端部から上側に突出する上側突出部を含む。下方延在部、後側延在部、及び後側延在部は、上側に開口する凹部３２ａを画定する。
【００１９】
また、前側引掛部３３は、板状部３１の前側上部から上側に行くにしたがって前側に傾斜するように斜め上方に傾斜延在部３３ａと、傾斜延在部３３ａの上側端部から後側かつ下側に折り返された折返部３３ｂを含む。板状部３１の上面の前側端部、傾斜延在部３３ａ、及び折返部３３ｂは、Ｘ方向後側に開口する凹部３３ｃを画定する。
【００２０】
次に、軒樋５０の構造について説明する。軒樋５０は、合成樹脂等の樹脂材料で構成されると好ましいが、それ以外の金属材料等で構成されてもよい。軒樋５０は、複数の吊具１０に取り付けられて、複数の吊具１０に吊り下げられる。詳しくは、軒樋５０は、樋本体５１、前耳部５２、及び後耳部５３を有する。
【００２１】
樋本体５１は、Ｙ方向に延在し、前側壁部５１ａ、後側壁部５１ｂ、及び底部５１ｃを有する。底部５１ｃは、長尺の板形状を有し、軒先に沿うようにＹ方向に延在する。また、前側壁部５１ａは、底部５１ｃの前側端部から上側に行くにしたがって前側に傾斜するように斜め上方に延在する。また、後側壁部５１ｂは、底部５１ｃの後側端部から上方に延在する。
【００２２】
前耳部５２は、前側壁部５１ａの上端部につながる。前耳部５２は、前側壁部５１ａの上端部から後側かつ下側に斜め下方に延在する傾斜延在部５２ａと、傾斜延在部５２ａの下端部からＸ方向前側に折り返されて、Ｘ方向前側に略水平方向に延在する折返部５２ｂを含む。他方、後耳部５３は、後側壁部５１ｂの上端部につながる。後耳部５３は、後側壁部５１ｂの上端部からＸ方向前側に略水平方向に延在する前側延在部５３ａと、前側延在部５３ａからＺ方向下方に突出する下側突出部５３ｂを含む。
【００２３】
前耳部５２の折返部５２ｂの先端は、凹部３３ｃ内に配置される。また、折返部５２ｂの下面は、前側吊具３０の板状部３１において略水平方向に広がる前側上面に当接して、その上面から上側の垂直抗力を受ける。他方、後耳部５３は、その下側突出部５３ｂの先端部が凹部３２ａの底面に接触し、当該底面から上側の垂直抗力を受ける。このことから、軒樋５０は、Ｘ方向の前側と後側の両側で前側吊具３０から上側の力を付与され、その結果、前側吊具３０に確実に固定されて前側吊具３０に安定に吊り下げられる。
【００２４】
図２の参照を続けて、樋位置決め部３５は、後側引掛部３２から下側に突出する第１下側突出部３５ａと、前側吊具３０の板状部３１の後側から下側に突出する第２下側突出部３５ｂを含み、第１下側突出部３５ａの下側端部と第２下側突出部３５ｂの下側端部は繋がっている。樋位置決め部３５において最も後側に位置する後側部３５ｃは、後側引掛部３２よりも後側に位置する。軒樋５０が前側吊具３０に固定されている状態で、後側部３５ｃが後側壁部５１ｂの内面に接触することで、軒樋５０が前側吊具３０に更に安定に固定され、軒樋５０が前側吊具３０に対して位置決めされる。
【００２５】
なお、吊具に対する軒樋の取付構造は、無数の構造が公知となっており、多種多様な構造が存在している。また、軒樋の形状も、多種多様な形状が公知となっている。吊具に対する軒樋の取付構造は、図１に示す構造に限定されることはなく、軒樋が吊具から容易に外れない構造であれば如何なる構造でもよい。また、軒樋の形状も、図１に示す形状に限定されることはなく、雨水を所定方向に流動させて案内できる形状であれば如何なる形状でもよい。
【００２６】
次に、取付カバー７０の構造について説明する。取付カバー７０は、合成樹脂等の樹脂材料で構成されると好ましいが、それ以外の金属材料等で構成されてもよい。図１及び図２に示すように、取付カバー７０は、複数の吊具固定部材７１と、カバー部材９０を備える。図示しないが、複数の吊具固定部材７１は、Ｙ方向に所定間隔毎に配置され、各吊具固定部材７１は、後側吊具１１に固定される。図４は、吊具固定部材７１の斜視図である。また、図５は、吊具固定部材７１をＸ方向一方側から見たときの側面図であり、図６は、吊具固定部材７１をＹ方向一方側から見たときの正面図である。
【００２７】
図４及び図５に示すように、吊具固定部材７１は、クリップ部７２と、柱状部８０を含む。クリップ部７２は、ＹＺ断面において、蹄鉄状の形状を有し、大雑把に表現してＵ字において開口側の幅が狭くなっている形状を有する。蹄鉄状のクリップ部７２は、一対の挟持部７３と、底部７４を含み、底部７４は、ＹＺ断面において湾曲形状を有する。また、一対の挟持部７３は、上側挟持部７３ａと、下側挟持部７３ｂを含む。上側挟持部７３ａは、底部７４の上側端部から略水平方向に平行にＹ方向一方側に延在し、下側挟持部７３ｂは、底部７４の下側端部からＹ方向一方側に行くにしたがって上側に傾斜するようにＹ方向一方側に延在する部分を含む。
【００２８】
上側挟持部７３ａの下面は、平面で構成され、水平面と略平行に広がっている。他方、下側挟持部７３ｂの上面は、Ｙ方向一方側の端部に係合部７６を有する。図３に示すように、後側吊具１１の板状部１６は、下側に突出する複数のリブ１９を有し、係合部７６は、複数のリブ１９のうちの１以上のリブ１９の先端側をＹ方向に移動不可能に嵌め込み可能な形状を有する。一対の挟持部７３は、上記１以上のリブ１９の先端側が係合部７６に嵌め込まれた状態で後側吊具１１の板状部１６をその厚さ方向に挟持する。クリップ部７２が板状部１６を挟持している挟持状態で上記１以上のリブ１９の先端側が係合部７６にＹ方向に相対移動不可能に嵌め込まれるので、クリップ部７２を安定かつ確実に後側吊具１１に固定できる。
【００２９】
なお、図３に示すように、本実施例では、クリップ部７２の下側挟持部７３ｂの上面が、後側吊具１１の板状部１６の１つのリブ１９ａの先端部の角部に対応する角部を有する窪みを有する。そして、リブ１９ａは、挟持状態において窪みの角部から受けるＹ方向他方側に力によって、下側挟持部７３ｂに対してＹ方向一方側に移動不可能になる。更には、板状部１６は、リブ１９ａにＹ方向一方側に隣り合うリブ１９ｂを有し、リブ１９ｂの先端側かつＹ方向他方側の角部が、下側挟持部７３ｂにおいて上側に行くにしたがってＹ方向他方側に移動する傾斜面７７に接触する。したがって、リブ１９ｂが、挟持状態においてその傾斜面から受けるＹ方向一方側の力によって、下側挟持部７３ｂに対してＹ方向他方側に移動不可能になる。よって、挟持部７３が、後側吊具１１の板状部１６に対してＹ方向に相対移動不可となる。
【００３０】
しかし、挟持部を後側吊具の板状部に対してＹ方向に相対移動不可能にする構造は、図１に示す構造に限らない。例えば、後側吊具の板状部の下面に凸部又は凹部を設け、下側挟持部の上面に該凸部又は凹部に対応する形状の凹部又は凸部を設けてもよい。そして、後側吊具の板状部の下面に凸部又は凹部を、下側挟持部の上面の凹部又は凸部に嵌め込んでもよい。又は、後側吊具の板状部の上面と上側挟持部の下面とを係合させてもよい。そして、例えば、後側吊具の板状部の上面と上側挟持部の下面とを、図３に示す構造と同様の構造でリブを用いて係合してもよい。又は、後側吊具の板状部の上面と上側挟持部の下面とを凹凸構造で係合させてもよく、該板状部の上面に凸部又は凹部を設け、その上側挟持部の下面に該凸部又は凹部に対応する形状の凹部又は凸部を設けてもよい。又は、一対の挟持部は、その一対の挟持部が後側吊具の板状部に対して軒樋の延在方向（Ｙ方向）に相対移動できなくなる如何なる係合部を有さなくてもよい。
【００３１】
更には、本実施例のように、後側吊具１１の板状部１６に対するクリップ部７２のＸ方向の設置位置を容易に把握できるようにしてもよい。詳しくは、図２に示すように、板状部１６の上部がＺ方向上側に行くにしたがって後側に傾斜する傾斜面１６ａを有し、上側挟持部７３ａの下面も傾斜面１６ａに対応する形状の傾斜面７３ｃを有してもよい。そして、上側挟持部７３ａの傾斜面７３ｃを板状部１６の傾斜面１６ａに当接させるようにクリップ部７２を後側吊具１１に設置するようにしてもよい。なお、例えば、後側吊具の板状部の上面に凹部又は凸部を設けると共に、上側挟持部の下面にその凹部又は凸部に対応する形状の凸部又は凹部を設けてもよい。そして、後側吊具の板状部の上面に設けた凹部又は凸部に、上側挟持部の下面に設けた凸部又は凹部を嵌め込むことで、クリップ部を後側吊具の板状部に対してＸ方向に相対移動不可能に位置決めしてもよい。
【００３２】
次に、柱状部８０の構造について説明する。図４に示すように、柱状部８０は、下側挟持部７３ｂからＺ方向下側に延在する。また、柱状部８０は、下側端部にＸ方向に突出する第１係止部８１を有する。図６に示すように、本実施例では、柱状部８０が、後側柱部８３と、前側柱部８４を含み、前側柱部８４は、後側柱部８３よりも前側に位置し、後側柱部８３に間隔をおいた状態でＸ方向に対向する。後側柱部８３はクリップ部７２の後側端部から下側に延在し、前側柱部８４はクリップ部７２の前側端部から下側に延在する。また、第１係止部８１は、後側突出部８５と、前側突出部８６を含む。後側突出部８５は、後側柱部８３の下側端部からＸ方向後側に突出し、前側突出部８６は、前側柱部８４の下側端部からＸ方向前側に突出する。後側突出部８５及び前側突出部８６は、夫々の上面が水平面（ＸＹ平面）に略平行に広がる係止爪となっている。
【００３３】
再度図２を参照して、後側柱部８３は、後側平板部８７と、押圧部８８を有する。後側平板部８７は、略矩形の平板形状を有し、ＹＺ平面に略平行に広がり、クリップ部７２の後側端部から下側に延在する。後側柱部８３は、ＹＺ平面に略平行な後側側面８７ａを含んでいる。押圧部８８は、後側側面８７ａからＸ方向後側に突出する。押圧部８８のＸ方向の先端側の端面は、Ｘ方向とＺ方向を含む断面における形状が略円弧状の凹面８８ａとなっている。凹面８８ａを略面対処とする平面（図示せず）が存在し、その平面は、ＸＹ平面に平行になっている。図７は、吊具固定部材７１をＺ方向上方から見たときの上面図である。図７に示すように、本実施例では、押圧部８８のＹ方向寸法が、後側突出部８５のＹ方向寸法よりも小さくなっている。
【００３４】
これに対し、図４に示すように、前側柱部８４は、略矩形の平板形状を有する前側平板部７５を含み、前側平板部７５は、ＹＺ平面に略平行に広がり、クリップ部７２の前側端部から下側に延在する。図４及び図５に示すように、前側柱部８４の下側端部７８のＹ方向長さは、それ以外の部分７９のＹ方向長さよりも長くなっており、前側柱部８４の下側端部７８は、Ｙ方向他方側に突出する突出部７８ａを有する。
【００３５】
メンテナンスや施工中などで取付カバー７０の取り外しの必要が生じた場合に、作業者の指が滑ると鋼材の端部で切創を負う恐れがある。押圧部８８の凹面８８ａと前側柱部８４の平板状の突出部７８ａは、作業者が取外作業の際に指で押圧する箇所となっている。凹面８８ａは、滑り止めの役割を果たしている。詳しくは、作業者が、凹面８８ａに指を配置することで、取外作業中に指が滑ることを防止できる。よって、作業者が切創を負うことがなく、取外作業を安全に実行できる。
【００３６】
上述のように、前側柱部８４に関して、下側端部７８のＹ方向長さが、それ以外の部分７９のＹ方向長さよりも長くなっている。このようにして、前側柱部８４の材料費を低減すると共に、前側柱部８４において作業者が押圧する箇所を確実に確保し、作業者が前側柱部８４を押圧し易いようにしている。更には、下側端部７８のＹ方向長さを、それ以外の部分７９のＹ方向長さよりも長くすることで、前側柱部８４の剛性を低下させて、前側柱部８４を歪ませ易くし、前側柱部８４を変形し易くしている。このようにして、吊具固定部材７１に対するカバー部材９０（図２参照）の着脱を容易にできるようにしている。
【００３７】
次に、カバー部材９０の構造について説明する。図２に示すように、カバー部材９０は、吊具固定部材７１の第１係止部に係止される第２係止部９１、及び第２底面９２を有する。第２底面９２は、軒樋５０の第１底面５１ｄに沿うようにＹ方向に延在し、Ｘ方向において第１底面５１ｄと鼻隠し３の間に配置される。
【００３８】
詳しくは、カバー部材９０は、上側に開口する樋形状を有し、Ｙ方向に延在する。カバー部材９０は、後側壁部９３と、前側壁部９４、及び底部９５を有する。前側壁部９４は、後側壁部９３よりも前側に位置して後側壁部９３に間隔をおいた状態で後側壁部９３にＸ方向に対向する。また、底部９５は、後側壁部９３の下端部と前側壁部９４の下端部とを連結する。
【００３９】
第２係止部９１は、後側折返部９１ａと、前側折返部９１ｂを含む。後側折返部９１ａは、後側壁部９３の上端部から後側かつ下側に折り返されて後側突出部８５の上部に係止され、前側折返部９１ｂは、前側壁部９４の上端部から前側かつ下側に折り返されて前側突出部８６の上部に係止される。このことから、カバー部材９０の後側上部が、複数の吊具固定部材７１の夫々における後側突出部８５で支持されて吊り下げられ、カバー部材９０の前側上部が、複数の吊具固定部材７１の夫々における前側突出部８６で支持されて吊り下げられる。このようにして、カバー部材９０が、前側と後側の両側で吊具固定部材７１に支持されるようにし、吊具固定部材７１に安定に固定されるようにしている。
【００４０】
なお、図１及び図２に示すように、吊具固定部材７１がカバー部材９０に吊り下げられた状態において、軒樋５０の第１底面５１ｄと、カバー部材９０の第２底面９２が、同じ高さに位置すると、下から見上げたときの軒樋構造１の美観が良好なものとなって好ましい。また、図２に示すように、前側吊具３０が、後側端部から下側に屈曲した後に下側に延在してＹＺ平面に略平行に広がる後側平板部３９を有すると、下から見上げたときに、前側吊具３０と取付カバー７０が連続的につながっているように見えて、美観が更に良好なものとなって好ましい。また、図８に示すように、後側吊具１１に取付カバー７０を取り付ける際、カバー部材９０を吊具固定部材７１に固定した状態で、クリップ部７２の一対の挟持部７３を広げた状態で後側吊具１１の板状部１６を挟むようにＹ方向に移動させてもよい。また、その後、一対の挟持部７３で板状部１６を挟持してもよい。
【００４１】
以上、吊具１０は、建物２の鼻隠し（壁部）３に固定される取付部（固定部）１４及び取付部１４からＸ方向の前側に延在する板状部１６を含む。また、取付カバー７０は、吊具１０及び吊具１０に取り付けられた軒樋５０を含む軒樋アッセンブリ６５（図２参照）における板状部１６に取り付けられる。また、取付カバー７０は、板状部１６をその厚さ方向に挟持する一対の挟持部７３を有するクリップ部７２を含む吊具固定部材７１を備える。また、吊具固定部材７１は、一対の挟持部７３のうちで板状部１６の下側を上側に押圧する下側挟持部７３ｂからＺ方向下側に延在する柱状部８０を含む。また、柱状部８０は、下側端部にＸ方向に突出する第１係止部８１を有する。また、取付カバー７０は、第１係止部８１に係止される第２係止部９１、及び軒樋５０の第１底面５１ｄの延在方向に沿うように延在すると共に、Ｘ方向において第１底面５１ｄと鼻隠し３の間に配置される第２底面９２を有するカバー部材９０を備える。
【００４２】
したがって、建物２の屋根の勾配に応じて、吊具１０に対する軒樋５０の設置位置を変えることで、軒樋５０での受水性を良好なものにできる。より具体的には、建物の屋根が緩勾配のときには、例えば吊具１０のＸ方向長さを長くすることで、軒樋５０を鼻隠し３からＸ方向に離れた個所に設置でき、軒樋５０での受水性を良好なものにできる。また、それとは逆に、建物の屋根が急勾配のときには、例えば吊具１０のＸ方向長さを短くすることで、軒樋５０を鼻隠し３からＸ方向にあまり離れていない箇所に設置でき、軒樋５０での受水性を良好なものにできる。
【００４３】
更には、建物２の屋根が、緩勾配のときに、受水性を良好なものにするために軒樋５０を鼻隠し３からＸ方向に離れた個所に設置した場合でも、鼻隠し３と軒樋５０の間に取付カバー７０を配置できる。よって、鼻隠し３と軒樋５０の間の少なくとも一部を取付カバー７０の第２底面９２で覆うことができ、下から見上げたときの軒樋構造１の美観を良好なものにできる。
【００４４】
また、柱状部８０が、後側柱部８３と、後側柱部８３よりも前側に位置して後側柱部８３に間隔をおいた状態でＸ方向に対向する前側柱部８４とを含んでもよい。また、第１係止部８１が、後側柱部８３の下側端部から後側に突出する後側突出部８５と、前側柱部８４の下側端部から前側に突出する前側突出部８６とを含んでもよい。また、カバー部材９０は、上側に開口する樋形状を有してもよい。そして、カバー部材９０は、後側壁部９３、後側壁部９３よりも前側に位置して後側壁部９３に間隔をおいた状態でＸ方向に対向する前側壁部９４、及び後側壁部９３の下端部と前側壁部９４の下端部とを連結する底部９５を含んでもよい。また、第２係止部９１が、後側壁部９３の上端部から後側かつ下側に折り返されると共に後側突出部８５の上部に係止される後側折返部９１ａと、前側壁部９４の上端部から前側かつ下側に折り返されると共に前側突出部８６の上部に係止される前側折返部９１ｂとを含んでもよい。
【００４５】
上記構成によれば、柱状部８０が、後側柱部８３と、後側柱部８３に間隔をおいた状態でＸ方向に対向する前側柱部８４を含むので、後側柱部８３と前側柱部８４を、それらの間を小さくするように押圧し易い。したがって、第１係止部８１と第２係止部９１の係止を容易に実行でき、施工を実行し易い。
【００４６】
また、柱状部８０が、Ｘ方向に略直交する後側側面８７ａと、後側側面８７ａからＸ方向に突出する押圧部８８を有してもよい。また、押圧部８８の先端側の端面が、Ｘ方向とＺ方向を含む断面における形状が略円弧形状の凹面８８ａとなっていてもよい。
【００４７】
上記構成によれば、メンテナンスや施工中などで取付カバー７０の取り外しの必要が生じた場合に、作業者が、凹面８８ａに指を配置することができる。よって、取外作業中に指が滑ることを防止でき、作業者が切創を負うことがなく、取外作業を安全に実行できる。
【００４８】
また、吊具１０は、下側に突出する１以上のリブ１９を板状部１６の下側に有してもよい。また、下側挟持部７３ｂの上側には、少なくとも１つのリブ１９に係合する係合部７６が設けられてもよい。
【００４９】
上記構成によれば、係合部７６を吊具１０に係合できるので、吊具１０に対して下側挟持部７３ｂを確実に取り付けでき、ひいては、吊具１０に対して取付カバー７０を確実に固定できる。したがって、取付カバー７０の落下を確実に防止できる。また、係合部７６を吊具１０に係合できるので、吊具１０に対して取付カバー７０を高精度に位置決めできる。よって、下から見上げたときの美観が美しいものになり易い。
【００５０】
また、軒樋構造１は、建物２の鼻隠し３に固定される取付部１４及び取付部１４からＸ方向の前側に延在する板状部１６を含む吊具１０、吊具１０に取り付けられた軒樋５０、及び吊具１０の板状部１６に取り付けられた本開示の取付カバー７０を備える。
【００５１】
よって、軒樋５０での受水性を良好なものにし易く、下から見上げたときの美観も良好なものになり易い。
【００５２】
また、吊具１０は、鼻隠し３に固定される後側吊具１１、後側吊具１１から前側に突出する前側突出部３０ａを含む前側吊具３０、及び前側吊具３０を後側吊具１１に取り付ける取付手段４５を備えてもよい。また、後側吊具１１における前側吊具３０の固定箇所がＸ方向に変動可能となっていて、前側突出部３０ａのＸ方向の長さが変動可能になっていてもよい。そして、軒樋５０が、前側吊具３０に固定されてもよい。
【００５３】
本構成によれば、屋根の勾配に応じて、吊具１０のＸ方向長さを自在に変動させることができる。よって、軒樋５０の設置位置を屋根の勾配に応じて適切かつ容易に変動させることができるので、軒樋５０での受水性を良好なものにし易いだけでなく、受水性を良好にする施工も容易に実行できる。
【００５４】
なお、本開示は、上記実施形態およびその変形例に限定されるものではなく、本願の特許請求の範囲に記載された事項およびその均等な範囲において種々の改良や変更が可能である。
【００５５】
例えば、上記実施形態では、吊具１０が、後側吊具１１と、それとは別体の前側吊具３０を備える場合について説明した。しかし、吊具は、一体の１つの部材で構成されてもよい。
【００５６】
また、柱状部８０が、後側柱部８３と、後側柱部８３に間隔をおいた状態でＸ方向に対向する前側柱部８４を含む場合について説明した。しかし、柱状部は、後側柱部と、前側柱部を含まなくてもよく、例えば、１つの柱部しか有さなくてもよい。そして、この場合、例えば、柱状部を、ＸＺ平面での断面形状が、逆Ｔ字状の形状になるようにして、下側端部からＸ方向両側に突出する２つの突出部を、断面樋状のカバー部材の上部に設けられる後側折返部と前側折返部に係止するようにしてもよい。
【００５７】
また、作業者が取外作業の際に滑り止めとして使用する押圧部８８の凹面８８ａを、後側柱部８３に形成する場合について説明した。しかし、作業者が取外作業の際に滑り止めとして使用する押圧部の凹面を、前側柱部に形成してもよい。又は、作業者が取外作業の際に滑り止めとして使用する押圧部を、柱状部に形成しなくてもよい。
【００５８】
また、前側柱部８４において、下側端部７８のＹ方向長さを、それ以外の部分７９のＹ方向長さよりも長くする場合について説明した。しかし、前側柱部及び後側柱部の両方において、下側端部のＹ方向長さが、それ以外の部分のＹ方向長さよりも長くなくてもよい。
【００５９】
また、建物２において吊具１０が固定される壁部が、鼻隠し３である場合について説明したが、建物において吊具が固定される壁部は、鼻隠し以外の壁部でもよい。また、屋根が急勾配で、軒樋と壁部のＸ方向距離が小さいときには、吊具に取付カバーを取り付けなくてもよい。
【符号の説明】
【００６０】
１  軒樋構造、  ２  建物、  ３  鼻隠し（壁部）、  １０  吊具、  １１  後側吊具、  １４  取付部（固定部）、  １６  板状部、  １９  リブ、  ３０  前側吊具、  ３０ａ  前側突出部、  ４５  取付手段、  ５０  軒樋、  ５１ｄ  第１底面、  ６５  軒樋アッセンブリ、  ７０  取付カバー、  ７１  吊具固定部材、  ７２  クリップ部、  ７３  挟持部、  ７３ｂ  下側挟持部、  ７６  下側挟持部の係合部、  ８０  柱状部、  ８１  第１係止部、  ８３  後側柱部、  ８４  前側柱部、  ８５  後側突出部、  ８６  前側突出部、  ８７ａ  柱部の後側側面、  ８８  押圧部、  ８８ａ  凹面、  ９０  カバー部材、  ９１  第２係止部、  ９１ａ  後側折返部、  ９１ｂ  前側折返部、  ９２  第２底面、  ９３  後側壁部、  ９４  前側壁部、  ９５  底部、  Ｘ方向  前後方向、  Ｙ方向  軒樋の延在方向、  Ｚ方向  高さ方向。
【図１】
2020084637.tif 000003
【図２】
2020084637.tif 000004
【図３】
2020084637.tif 000005
【図４】
2020084637.tif 000006
【図５】
2020084637.tif 000007
【図６】
2020084637.tif 000008
【図７】
2020084637.tif 000009
【図８】
2020084637.tif 000010